(57)【要約】      （修正有）【課題】ダニ抗原の影響を一掃する場合に有効であり、外観見栄えを向上したり汎用縫製設備により製造容易にする。【解決手段】緩衝用詰め物１を外袋６に収納していると共に、全体が定位置で折り畳み可能に形成されているマットレスにおいて、詰め物１を袋内に収納した状態で、前記折り曲げ位置に対応してそれぞれ袋幅方向に縫製して前記詰め物の厚さ寸法以上の間隔Ｌ１を保っている２以上の屈曲用縫製ライン２ｂ，２ｂを形成している中袋２を有し、中袋２を外袋６に収納すると共に、中袋２及び外袋６が外袋の袋内を区画している周囲縫製ライン１０ａより縁側の端末７ａ，８ａと、中袋２の袋内を区画している周囲縫製ライン１０ｄより縁側の端末２ａとを縫製固定している。【選択図】        図１
2004243013.tif 000002
【特許請求の範囲】
【請求項１】
緩衝用詰め物を外袋に収納していると共に、全体が定位置で折り畳み可能に形成されているマットレスにおいて、
前記詰め物を袋内に収納した状態で、前記折り曲げ位置に対応してそれぞれ袋幅方向に縫製して前記詰め物の厚さ寸法以上の間隔を保っている２以上の屈曲用縫製ラインを形成している中袋を有し、
前記中袋を前記外袋に収納すると共に、前記中袋及び前記外袋が外袋の袋内を区画している周囲縫製ラインより縁側の端末と、中袋の袋内を区画している周囲縫製ラインより縁側の端末とを縫製固定していることを特徴とするアレルギークリアマットレス。
【請求項２】
緩衝用詰め物を外袋に収納していると共に、全体が定位置で折り畳み可能に形成されているマットレスにおいて、
前記詰め物が、屈曲用間隔を保って配置された複数の弾性芯材部と、前記各芯材部を一体的に被覆している綿とを有し、それらが中袋に収納されており、
前記中袋が前記外袋に収納されていると共に、前記中袋及び前記外袋が外袋の袋内を区画している周囲縫製ラインより縁側の端末と、中袋の袋内を区画している周囲縫製ラインより縁側の端末とを縫製固定していることを特徴とするアレルギークリアマットレス。
【請求項３】
請求項１又は２において、前記中袋が袋用上下布の縁部分の内側を縫製して該縫製ラインと前記縁部分の端末との間に所定幅の周囲接続部を有し、前記外袋が袋用上下布の縁部分の内側を縫製した第１縫製ラインで外側へ折返し、該折返しにより４枚重ねになった折返部に沿って縫製した第２縫製ラインで周囲平坦部を形成していると共に、前記第２縫製ラインで区画される袋内に突出して該第２縫製ラインと前記縁部分の端末との間に所定幅の周囲接続部を有し、当該周囲接続部に対し前記中袋の周囲接続部を縫製固定していることを特徴とするアレルギークリアマットレス。
【請求項４】
上下布を周囲に所定幅を残した状態で一部を開口した袋状に縫製した後、前記開口を利用して袋状の内外面を逆にして４枚重ねになった周囲部を前記開口を除いて縫製することにより周囲平坦部及び内部に突出して上下布の端末側である周囲接続部を区画形成する外袋形成工程と、
前記外袋形成工程後の上下布を前記開口を利用して袋状の内外面を逆にした状態で、予め作製されて周囲接続部を有した袋状内に緩衝用詰め物を収納している中袋を重ね、前記外袋形成工程で作られた前記周囲接続部と前記中袋の周囲接続部とを縫製により固定する一体化工程と、
前記一体化工程後の外袋用上下布を前記開口を利用して袋状の内外面を逆にして前記中袋を被覆すると共に、前記開口を封止処理する袋詰め工程とを経ることを特徴とする請求項３に記載のアレルギークリアマットレスの製造方法。
【発明の詳細な説明】
【０００１】
【発明の属する技術分野】
本発明は、防ダニ対策として好適なアレルギークリアマットレス及びその製造方法に関する。
【０００２】
【従来技術】
寝具用マットレスは、弾性保持や緩衝構造から、金属製ばねのスプリング力を利用したタイプと、液体や流動物の弾性を利用したタイプと、発泡体等の詰め物自身の弾力性を利用したタイプとに大別される。本発明対象は後者のタイプである。このマットレスでは、収納や搬送等に優れているため家庭や病院等で広く愛用されており、下記特許文献１や２に例示されるように、緩衝用詰め物を外袋に収納していると共に、全体が定位置つまりヒンジ部で折り畳み可能となっている。
【０００３】
図１０（ａ）と（ｂ）のマットレスは、文献１に開示のもので全体が３分割されている。この構造特徴は、各分割マット部５０ａ，５０ｂ，５０ｃが不図示の連結手段により折り畳み可能に形成されている点、外側の縁５１が斜めに形成されて床面に広げた際につまづき難くしている点、マット部５０ｃに付設された拘束把持手段５２を有している点にある。拘束把持部材５２は、帯体に面ファスナーを付設した構成であり、例えば、分割マット部５０ａ，５０ｂ，５０ｃを折り畳んだ状態で全体を拘束したり、拘束状態でベット台等に保持できるようにする。これに対し、図１１のマットレスは、文献２に開示のもので、分割されたマット部６０ａ，６０ｂ同士の連結構造に関するものである。即ち、この連結構造では、両マット部６０ａ，６０ｂが第１連結帯６１と、その両側に設けられた対の第２連結帯６２とを有し、それらにより厚さ方向両側へ折り畳み可能にしている。
【０００４】
【特許文献１】
特開２００２−１１９３８１号公報（第２〜３頁、図１〜図４）
【特許文献２】
特開２００１−１９７９６４号公報（第２〜５頁、図１〜図３）
【０００５】
【発明が解決しようとする課題】
上記したように、従来マットレスは、使い勝手から色々な工夫が施されているものの、ダニアレルゲン対策が皆無というほど考慮されていなかった（防ダニ剤等の薬剤を使用するものはアトピー等の要因となため問題外である）。これは、マットレスがこの上に敷かれる敷布団を介し人の身体を保持するため、布団類に比べ問題視されなかったためと考えられる。とろこが、本出願人らは、住環境において、ダニアレルゲン量（ダニの糞、死骸、脱皮殻、卵等であり、以下これらを「ダニ抗原」と称する）を調べてきたところ、布団以外に、マットレスがカーペット類と共に最も高い数値であることを知見した。この数値は、世界保健機構がダニに感作される閾値として提唱する基準値（２νｇ）を大きく上回るものである。また、既存のマットレス構造では、ダニ源の点から、折り畳み箇所（ヒンジ部）における縫製ラインにおいて縫い目の孔が次第に大きくなり該孔からダニ抗原が出入りし易くなること、緩衝用詰め物（ウレタン系発泡体）内にダニ抗原が溜まり易いこと、発泡体だけだと静電気作用により埃と共にダニ抗原を内部に吸収し易くなること等の問題がある。
【０００６】
なお、布団類の防ダニ対策としては、例えば、側生地つまり袋状を形成している上下布として防虫作用を付与し、細繊維でち密に織ったものを使用してダニ類を防虫すると共に内部に出入りできないようにしたり（特開平９−２９４８７９号等）、中綿等に各種の防ダニ剤等を保持させたり、本発明者が開発したふとん構造（特公平７−３２７３５号）やダニ抗原処理方法（特許第３００５６５５号）等がある。しかし、マットレス構造では、例えば、緩衝用詰め物がヘタリ（繰り返しの弾性復元力）等で制約されること、折り畳み箇所が設定されること等の特殊事情があり、従来技術の応用だけでは対処できない。
【０００７】
本発明は以上のような状況から開発されたものである。その目的は、前記したダニ抗原の影響を一掃する場合に極めて有効であり、また、外観見栄えを向上したり、汎用縫製設備により製造も容易なアレルギークリアマットレス及びその製造方法を提供することにある。
【０００８】
【課題を解決するための手段】
上記目的を達成するため請求項１の発明は、図面の例で特定すると、緩衝用詰め物１を外袋６に収納していると共に、全体が定位置で折り畳み可能に形成されているマットレスにおいて、前記詰め物１を袋内に収納した状態で、前記折り曲げ位置に対応してそれぞれ袋幅方向に縫製して前記詰め物の厚さ寸法以上の間隔Ｌ１を保っている２以上の屈曲用縫製ライン２０ａ，２０ａを形成している中袋２を有し、前記中袋２を前記外袋６に収納すると共に、前記中袋２及び前記外袋６が外袋の袋内を区画している周囲縫製ライン１０ｂより縁側の端末７ａ，８ａと、中袋２の袋内を区画している周囲縫製ライン１０ｄより縁側の端末２ａとを縫製固定していることを特徴とするアレルギークリアマットレスである。
請求項２の発明は、緩衝用詰め物１を外袋６に収納していると共に、全体が定位置で折り畳み可能に形成されているマットレスにおいて、前記詰め物９が、屈曲用間隔を保って配置された複数の弾性芯材部５ａ，５ｂ，５ｃと、前記各芯材部を一体的に被覆している綿９とを有し、それらが中袋２に収納されており、中袋２が前記外袋６に収納されていると共に、前記中袋２及び前記外袋６が外袋の袋内を区画している周囲縫製ライン１０ｂより縁側の端末７ａ，８ａｂと、中袋２の袋内を区画している周囲縫製ライン１０ｄより縁側の端末２ａとを縫製固定していることを特徴とするアレルギークリアマットレスである。
【０００９】
（工夫点等）以上の各本発明は、基本構造として、詰め物１を中袋５及び外袋６の二重に被覆するが、その場合、中袋２及び外袋６が各袋内を区画している縫製ライン１０ｄ，１０ｂより端末側同士を縫製（１０ｃ）で固定する。これは、ダニ抗体の出入りを二重構造で単に防ぐだけではなく、マットレスを定位置（ヒンジ部としての縫製ライン２ｂ，２ｂ）で折り曲げるときの応力が袋内を区画している縫製ライン１０ｄ，１０ｂに加わらないようにして当該縫製ラインの縫い目の孔の拡大及びそれに起因したダニ抗原等の出入りを防いだり、中袋２を介在させることで詰め物１の素材選択の自由度を拡大できるようにする。その上で次のような構成を工夫している。
【００１０】
請求項１では、折り曲げ箇所が、中袋２内に詰め物１（これには図１の分割態様と図２の薄肉部を介した一体物態様を含む）を収納した状態で、中袋２に設けられて詰め物１の厚さ以上の間隔Ｌ１を保っている２以上の縫製ライン２ｂ，２ｂにより形成されている。この構造は、屈曲用縫製ライン自体としては洋服等でも採用されているが、屈曲用縫製ラインを中袋２の方に設けて全体が外袋６に収納されているため縫い目に起因したダニ抗原の出入りを阻止でき、外から目視不能なため外観特性を維持でき、屈曲用縫製ライン同士が詰め物１の厚さ寸法以上の幅広に設けられているため折り畳み時の過大な負荷を受けず、折り曲げ方向も規制されなくなる。これに対し、請求項２では、従来詰め物（ウレタン系の発泡体又はウレタンフォーム）に比べ、詰め物が弾性芯材部（発泡体等）５及び該芯材部５を被覆している綿９を有している。即ち、従来詰め物では、ウレタンフォーム等の使用により硬さ及び復元力等を設定容易にしているが、静電気が発生しそれに起因してダニ抗原が埃等と共に吸引進入し易くなったり、マットレスとフローリング等の床面との間に生じる結露の水滴を一旦吸収すると蒸発し難くなる。その対策として、この発明では従来詰め物であるウレタンフォーム等を綿で覆うことにより、静電気の発生とそれに伴うダニ抗原（花粉等の埃を含む）の進入を抑え、前記結露の水滴を蒸発し易い綿により遮断したり吸収できるようにする。
【００１１】
請求項３の発明は、請求項１又は２において、前記中袋２が袋用上下布３，４の縁部分の内側を縫製して該縫製ライン１０ｄと前記縁部分の端末との間に所定幅の周囲接続部２ａを有し、前記外袋６が袋用上下布７，８の縁部分の内側を縫製した第１縫製ライン１０ａで外側へ折返し、該折返しにより４枚重ねになった折返部に沿って縫製した第２縫製ライン１０ｂで周囲平坦部６ｂを形成していると共に、前記第２縫製ライン１０ｂで区画される袋内に突出して該第２縫製ライン１０ｂと前記縁部分の端末７ａ，８ａとの間に所定幅の周囲接続部６ａを有し、当該周囲接続部６ａに対し前記中袋の周囲接続部を縫製固定している構成である。  請求項４の発明は、以上のアレルギークリアマットレスを製造方法として、特に請求項３の構造を採用する例を特定したものである。この製造方法では、上下布７，８を周囲に所定幅を残した状態で一部を開口した袋状に縫製（１０ａ）した後、前記開口を利用して袋状の内外面を逆にして４枚重ねになった周囲部を前記開口を除いて縫製することにより周囲平坦部６ｂ及び内部に突出して上下布の端末側である周囲接続部６ａを区画形成する外袋形成工程と、前記外袋形成工程後の上下布７，８を前記開口を利用して袋状の内外面を逆にした状態で、予め作製されて周囲接続部２ａを有した袋状内に緩衝用詰め物１を収納している中袋２を重ね、前記外袋形成工程で作られた前記周囲接続部６ａと前記中袋２の周囲接続部２ａとを縫製により固定する一体化工程と、前記一体化工程後の外袋用上下布７，８を前記開口を利用して袋状の内外面を逆にして前記中袋２を被覆すると共に、前記開口を封止処理する袋詰め工程とを経ることを特徴としている。
【００１２】
（工夫点等）以上の構造では、中袋２の周囲接続部２ａを外袋６の対応部に固定する場合、まず、外袋６が袋用上下布７，８の縁部分の内側を縫製した第１縫製ライン１０ａで外側へ折返し、該折返しにより４枚重ねになった折返部に沿って縫製した第２縫製ライン１０ｂで周囲平坦部６ｂを形成することにより、例えば、周囲平坦部６ｂが外袋用上下布７，８の一部で構成されているため全体の一体感を維持でき、外観見栄えを簡単かつ多様に展開できるようにする。また、外袋６が第２縫製ライン１０ｂで区画される袋内に突出して該第２縫製ライン１０ｂと前記縁部分の端末との間に所定幅の周囲接続部６ａを有し、そこに中袋２の周囲接続部２ａを縫製固定していることにより、マットレスを頻繁に折り畳んでも中袋２の縫製部（縫製ライン１０ｄや屈曲用縫製ライン２ｂ）に対する悪影響つまり応力によって縫い穴がより確実に拡大し難くしてダニ抗原の出入りを阻止できるようにしたり、外袋６の密閉状態を確実に維持できるようにする。なお、本発明の名称は、例えば、特公平７−３２７３５号や特許第３００５６５５号に記載の様にダニ類の汚染をなくしたりダニ抗原を無害にしたもの、及び従来構造との相違を意識したものである。「縫製ライン」は、縫製された糸の縫い目或いは縫製部と同じ意味で使用している。
【００１３】
【発明の実施の形態】
図１と図２は本発明を適用したアレルギークリアマットレスの２つの形態例を模式的に示し、各図の（ａ）は上から見たマットレスの上面図、（ｂ）は（ａ）のＡ−Ａ線に沿った（ハッチングを省略した）拡大断面模式図である。図３〜図８は本発明の製造方法を説明するための模式図で、各図の（ａ）は上面図、各（ｂ）は（ａ）のＢ−Ｂ線に沿った拡大断面模式図である。図９（ａ）〜（ｃ）は折り畳み態様を示す模式図である。以下の説明では、本発明の基本構造及び変形例を述べた後、その製造方法例について詳述する。
【００１４】
（基本構造）各形態のアレルギークリアマットレスＣＭ１，ＣＭ２は、図１と図２のように、詰め物１と中袋２及び外袋６から構成されている点、緩衝用詰め物１が発泡体５及び綿９から構成されている点、詰め物１が中袋２に収納され、かつその中袋２が外袋６に収納された状態で、全体が定位置である中袋６側の縫製ライン２ｂ，２ｂをヒンジ部として３つに折り畳み可能になっている点で同じ。このため、図１と図２には同一部材及び部位に同じ符号を付している。
【００１５】
詰め物１は芯材部として発泡体５及び発泡体５を覆う綿９からなる。発泡体５は、従来と同様なウレタン系等の発泡素材であり、硬さや繰り返しの弾性復元力を充足する発泡倍率及び密度に形成されている。厚さは１．５ｃｍ〜３ｃｍ程度のものである。この例では３分割されているが、２分割又は３分割以上であってよい。また、各分割部５ａ〜５ｃは略同じ大きさ及び硬度となっているが、各分割部の大きさや硬さを変えるようにしてもよい。綿９は、素材的に制約されないが、純綿や、綿繊維に上質ポリエステル綿を混入したものが好ましい。この綿９は、各分割部５ａ〜５ｃを略均等な厚さで覆うよう配置されている。細部は、分割部５ａ〜５ｃ同士が所定の間隔（後述する間隔Ｌ１より大きな寸法で、図２の間隔Ｌ２とほぼ等しい寸法）で配置されて、全体が綿９で完全に覆い包まれて一体物となるように処理され、又、中袋２に収納される前に熱処理が施される。以下の説明では、便宜上、詰め物１としてこのように形成処理されたものを言う。
【００１６】
中袋２は、側生地である上下布３，４を袋状に縫製する際に形成された周囲接続部２ａを有している。該周囲接続部２ａは、図６の例のごとく上下布３，４の縁部分３ａ，４ａを合わせ縫いした縫製ライン（縫製部と同じ）１０ｄより端末側に位置し、１５〜３０ｍｍ程度の幅寸法となっている。中袋２の袋内には前記した詰め物１が収納配置されている。上下布３，４は、ダニ類が生息し難い純綿の布等が用いられている。縫製ライン１０ｄは、例えば、縫い目を０．１７ｍｍ以下にしたり、返し縫い等によりダニ類を通さないよう処理される（この点は以下の縫製ラインでも同じ）。そして、以上の中袋２には、詰め物１を収納した状態で、分割部５ａと分割部５ｂの間、分割部５ｂと分割部５ｃの間が屈曲用縫製ライン２ｂ，２ｂによりヒンジ部を形成している。各縫製ライン２ｂ，２ｂは、中袋２の幅方向に形成され、上下布３，４の対応部を間の綿９と共にミシン縫いした縫い目である。前記間隔Ｌ１は、中袋７に形成される屈曲用縫製ライン２０ａ，２０ａ同士の間の寸法であり、少なくとも詰め物１の厚さｔ寸法と同じか、それ以上大きな寸法に設定されている。これは、間隔Ｌ１が詰め物１の厚さｔ寸法より小さくなると、折り畳み時に負荷が過大になるだけではなく、縫製ライン２ｂの縫い目の孔も拡大され易くなるからである。従って、屈曲用縫製ライン２ｂは２以上であってもよいが、間隔又は幅設定が重要となる。また、以上の縫製ライン２ｂは、ヒンジ部としての作用に加え、中袋２に対する詰め物１の一体化を図ったり、分割部５ａ〜５ｃの不用意なずれを阻止する作用も兼ねている。
【００１７】
外袋６は、側生地である上下布７，８を袋状にする際に形成された周囲平坦部６ｂと、中袋２を袋内に被覆する際に前記周囲接続部２ａを固定する周囲接続部６ａとを一体に有している。上下布７，８は、織布又は不織布の何れであってもよい。周囲平坦部６ｂは、上下布７，８の端末側である縁部分７ａ、８ａが第１縫製ライン（縫製部）１０ａで合わせ縫いされると共に、該第１縫製ライン１０ａで互いに外側へ折返された状態となっている。そして、前記折返しにより４枚重ねとなった折返部に沿って縫製したものである。符号１０ｂはその折返部に縫製された第２縫製ライン（縫製部）を示している。従って、周囲平坦部６ｂは、第２縫製ライン１０ｂで縫製された状態で４枚重ねの比較的厚肉の平坦状となっており、第１縫製ライン１０ａを内側に目視不能に隠蔽している。これに対し、周囲接続部６ａは、縁部分７ａ、８ａの端末側で構成されていて、周囲平坦部６ｂの内側から袋内に突出された状態に設けられている。また、周囲接続部６ａは、基部が第２縫製ライン１０ｂで位置規制され、先端が縁部分７ａ、８ａの端末側であることから揺動自在となっている。
【００１８】
以上の構造では、中袋２が詰め物１と共に外袋６内に収納配置されると共に、中袋２の周囲接続部２ａが周囲接続部６ａに縫製で固定されることにより一体化されている。符号１０ｃはその中袋２の周囲接続部２ａと外袋６の周囲接続部６ａとを合わせ縫いしている第３縫製ライン（縫製部）である。このようにして、周囲接続部２ａ及び周囲接続部６ａは、第３縫製ライン１０ｃにより連結されており、外袋６の袋内にあって中袋２の対応部との間に収まっている。なお、図面では、作図上、周囲接続部２ａ及び周囲接続部６ａを厚く図示したが、４枚重ねとなった布であり、実際には外袋６の袋内と中袋２の対応部との間に馴染んだ状態に収まっている。そして、この構造では、綿９の使用により保温性や軽量化が図られ、課題に挙げた静電気発生とそれによる吸引による弊害を防ぐことができると共に、繰り返し折り畳んでも、応力が周囲接続部２ａ，６ａの揺動変位により吸収されるため、中袋２の縫製ライン１０ｄ及び屈曲用縫製ライン２ｂに過剰な負荷が加わらない。また、この構造では、中袋２に設けられた２以上の縫製ライン２ｂによりヒンジ部を形成しているため、図９（ａ）〜（ｃ）に示したごとく折り曲げ方向の規制がなく、折り畳み時の操作性を良好に維持でき、又、図１１の連結構造に比べて簡易及び外観特性を向上できる。しかも、この構造では、外袋６の上下布７，８が中袋２に対し周囲接続部２ａと周囲接続部６ａとを介し略全周で連結されることにより、上下布７，８に施される図柄等も湾曲変形し難くなる。
【００１９】
（変形例）図１と図２のアレルギークリアマットレスＣＭ１，ＣＭ２は次の点で相違している。まず、芯材部として、図１の発泡体５は分割されているのに対し、図２の発泡体５は一枚物として形成されている。即ち、図２の発泡体５では、分割部５ａ〜５ｃに対応する部分５ａ〜５ｃが肉薄部５ｄを介在した状態で一体化されている。このため、この構造では、ヒンジ機能を損なうことなく、取扱性及び組み付け性を良好にできる。なお、発泡体５（分割部や部分５ａ〜５ｃ）には、例えば、上下表面に凹凸を付け、該凹凸により綿９のずれを防ぐようにしてもよい。間隔Ｌ１は上記と同じ。間隔Ｌ２は、薄肉部５ｄの長さに相当し、間隔Ｌ１の２〜３倍程度に設定することが好ましい。また、図１の周囲平坦部６ｂはシングルステッチ縫いされた単一の縫製ライン１０ｂで処理されているのに対し、図２の周囲平坦部６ｂはダブルステッチ縫いされた複数本の縫製ライン１０ｂで処理されている。この構造では、複数本の縫製ライン１０ｂが外袋６に周囲平坦部６ｂを区画して外袋６内の大きさを決めるが、この縫製の仕方によって装飾機能を多様かつ多彩に可変することができる。
【００２０】
（製造方法）次に、以上のアレルギークリアマットレスＣＭ１，ＣＭ２の製法例について、図３〜図８を参照しながら概説する。この製造では、例えば、量産の形態として、詰め物１及び中袋２を作製するラインと、外袋６を上記した袋状に形成する外袋形成工程、詰め物１を封止した中袋２を外袋６に固定する一体化工程、外袋６で中袋２を被覆して開口部を封止する袋詰め工程等からなるラインとに分けられる。何れにしても、本発明では前記外袋形成工程と、一体化工程と、袋詰め工程とを少なくとも経る。
【００２１】
ここで、詰め物１を作製する要領は上記した通りである。中袋形成ラインでは、設計大に裁断された側生地、ここでは中袋用上下布３，４を縫製により詰め物挿入用開口を残して袋状に形成する。この縫製では、上下布３，４の周囲部つまり縁部分３ａ，４ａを重ね、縫製ライン１０ｄを端末よりも内側にすることで上記した周囲接続部２ａを形成する。そして、中袋２には前記開口から詰め物１が挿入配置される。次に、前記した複数の屈曲用縫製ライン２０ａ，２０ａが形成される。その後、前記開口は、縫製ライン１０ｄと同様な合わせ縫いによって閉じられる。図６はこのようにして完成された詰め物１を収納した中袋２である。これに対し、外袋形成工程、一体化工程、袋詰め工程は図３〜図５、図７と図８に示されている。なお、外袋６は作製工程で合計３回だけ内外面を逆に操作される。このため、図３、図５及び図７では、側生地である上下布７，８が上が内面を露出した下布８として図示し、下が内面を露出した上布７として図示している。
【００２２】
前記外袋形成工程では、図３のごとく設計大に裁断された側生地、ここでは上下布７，８を縫製により一部を開口（図３の縫製ライン１０ａがない箇所）した袋状に縫製する。この縫製では、上下布７，８が裏返しされた状態（内側をマットレス使用時の外面にした状態）で周囲部つまり縁部分７ａ，８ａを重ね、第１縫製ライン１０ａが端末よりも内側に位置するようにして合わせ縫いされる。縫製後は、図４のごとく前記開口を利用して袋状の内外面を逆にし（外側をマットレス使用時の外面にし）、４枚重ねになった周囲部を縫製する。この縫製では、前記開口を除いて合わせ縫いした第２縫製ライン１０ｂにより上記した周囲平坦部６ｂ及び袋内に突出した縁部分７ａ，８ａの端末側である周囲接続部６ａが区画形成される。
【００２３】
前記一体化工程は、図５のごとく上下布７，８が前記開口を利用して袋状の内外面を逆つまり再び裏返しの状態にされる。この状態では周囲平坦部６ｂが袋内に位置し、周囲接続部６ａが周囲に突出されている。次に、完成された中袋２が図７のごとく裏返しされた外袋６の上に位置決め配置つまり周囲接続部６ａの上に周囲接続部２ａが重ねられる。その後、周囲接続部２ａと周囲接続部６ａとは、前記開口を除いて合わせ縫いした第３縫製ライン１０ｃにより一体化される。
【００２４】
前記袋詰め工程では、図８に模式化したごとく前記一体化された中袋２を外袋６の内側に入れるよう袋状の内外面を前記開口を利用して逆にし（外側がマットレス使用時の外面となる）、外袋６で中袋２を被覆する。その後、図１や図２のごとく前記開口を閉じるよう対応部を縫製して封止処理する。この縫製では、外観見栄え上、開口対応部を第２縫製ライン１０ｂに沿って合わせ縫いし、該縫製ライン１０ｅが第２縫製ライン１０ｂと区別不能にすることが好ましい。上記アレルギークリアマットレスＡ，Ｂは、以上の様にして既存の縫製設備によって簡単かつ合理的に製造できるものである。
【００２５】
なお、本発明は以上の形態に何ら制約されない。本発明は請求項で特定した要件を備えておればよく、細部はこれをベースにして種々変更可能なものである。
【００２６】
【発明の効果】
以上説明したように、本発明のアレルギークリアマットレスは、従来構造に対し簡易であり一体感を向上したり、外観的に斬新で多彩な意匠感を付与できる。同時に、中袋と外袋との縫製固定の工夫等により繰り返して折り畳んでも、中袋の袋内を区画している縫製ライン及び屈曲用縫製ラインの縫い目に応力を受け難くしたり縫い穴を拡大し難くして、外袋内の密閉状態を確実に維持でき、防ダニ用として好適なものとなる。本発明の製造方法は、前記アレルギークリアマットレスを通常のミシン設備により簡単に製造可能にして、製造設備費及び製造工数を低減できるようにする。
【図面の簡単な説明】
【図１】本発明を適用した第１形態のマットレス構造を示す模式図である。
【図２】本発明を適用した第２形態のマットレス構造を示す模式図である。
【図３】本発明の製造方法のうち外袋形成工程の一部を示す模式図である。
【図４】上記外袋形成工程を終了した状態を示す模式図である。
【図５】図４の状態から内外面を逆にした模式図である。
【図６】本発明の中袋の完成状態を示す模式図である。
【図７】上記外袋と中袋との縫製固定する一体化工程を示す模式図である。
【図８】図７の状態から中袋を外袋に袋詰めした模式図である。
【図９】本発明マットレスを折り畳んだ状態を示す模式図である。
【図１０】従来マットレス構造例を示す模式図である。
【図１１】従来の分割部同士の連結構造例を示す模式図である。
【符号の説明】
ＣＭ１，ＣＭ２…アレルギークリアマットレス
１…詰め物（５は芯材部としての発泡体、９は綿）
２…中袋（２ａは周囲接続部）
３，４…中袋用上下布（３ａと４ａは端末又は縁部分）
５ａ〜５ｃ…分割部
５ｄ…薄肉部
６…外袋（６ａは周囲接続部、６ｂは周囲平坦部）
７，８…外袋用上下布（７ａと８ａは端末又は縁部分）
２ｂ…屈曲用縫製ライン（縫製部）
１０ａ…第１縫製ライン（縫製部）
１０ｂ…第２縫製ライン（縫製部）
１０ｃ…第３縫製ライン（縫製部）
１０ｄ，１０ｅ…縫製ライン（縫製部）
【図１】
2004243013.tif 000003
【図２】
2004243013.tif 000004
【図３】
2004243013.tif 000005
【図４】
2004243013.tif 000006
【図５】
2004243013.tif 000007
【図６】
2004243013.tif 000008
【図７】
2004243013.tif 000009
【図８】
2004243013.tif 000010
【図９】
2004243013.tif 000011
【図１０】
2004243013.tif 000012
【図１１】
2004243013.tif 000013